(57)【要約】【課題】従来の遊技機との接触または衝突による被動のみの風車に比べて斬新な風車の挙動態様を実現するとともに、ステージ構造内における遊技球の挙動態様を多種多様なものとし、興趣の向上および遊技者に対する視覚効果を高めること。【解決手段】打ち出された遊技球が流下する遊技領域を有する遊技機において、前記遊技領域内に配設され、前記遊技領域を流下する遊技球をステージ内に導入するための導入口１１と、前記導入口１１から導入された遊技球を落下させる落下部１３と、当該落下部から落下した遊技球が転動する転動面６０と、遊技球をステージから導出する導出口６０ｅを有するステージ構造６を備え、風車１４ａないし１４ｅが、前記ステージ構造６内に配設され、前記風車１４ａないし１４ｅの動きを駆動制御する駆動機構を備えるパチンコ遊技機。【選択図】図１
2010179057.tif 000002
【特許請求の範囲】
【請求項１】
打ち出された遊技球が流下する遊技領域を有する遊技機において、
前記遊技領域内に配設され、前記遊技領域を流下する遊技球をステージ内に導入するための導入口と、前記導入口から導入された遊技球を落下させる落下部と、当該落下部から落下した遊技球が転動する転動面と、遊技球をステージから導出する導出口を有するステージ構造を備え、
風車が、前記ステージ構造内に少なくとも一つ配設され、
前記風車の動きを駆動制御する駆動機構を備える
ことを特徴とする遊技機。
【請求項２】
請求項１において、
前記駆動機構が、前記風車の回転方向を制御する手段によって構成されている
ことを特徴とする遊技機。
【請求項３】
請求項１または請求項２において、
前記駆動機構が、前記風車の回転速度を制御する手段によって構成されている
ことを特徴とする遊技機。
【請求項４】
請求項１ないし請求項３のいずれかにおいて、
複数の風車が前記ステージ構造内に配設され、
前記駆動機構が、前記複数の風車の回転を連動させて駆動制御する手段によって構成されている
ことを特徴とする遊技機。
【請求項５】
請求項１ないし請求項４のいずれかにおいて、
前記風車を回転自在に支持する支持部を移動可能に支持する移動機構を備え、
前記駆動機構が、当該風車の移動を制御する手段によって構成されている
ことを特徴とする遊技機。
【請求項６】
請求項１において、
前記風車を回転自在に支持する支持部を移動可能に支持する移動機構を備え、
前記駆動機構が、風車の回転を制御する第１の駆動機構と
前記風車の移動を制御する第２の駆動機構とからなる
ことを特徴とする遊技機。
【請求項７】
請求項１ないし請求項６のいずれかにおいて、
前記風車を回転自在に支持する風車軸に遠心カップリングが配設され、遊技球が風車に接触またはおよび衝突した時は、風車が風車軸に対して相対回転自在であり、風車軸が回転駆動された時には遠心カップリングが係合し、風車が風車軸と一体回転するように構成されている
ことを特徴とする遊技機。
【請求項８】
請求項１ないし請求項６のいずれかにおいて、
前記駆動機構の一部に遠心カップリングが配設され、遊技球が風車に接触またはおよび衝突した時は、風車と前記駆動機構の前記遠心カップリングの下流側部位が相対回転自在であり、前記駆動機構の前記遠心カップリングの上流側部位が回転駆動する時には遠心カップリングが係合し、前記風車、前記駆動機構の前記遠心カップリングの上流側部位および下流側部位がともに回転するように構成されている
ことを特徴とする遊技機。
【発明の詳細な説明】
【技術分野】
【０００１】
本発明は、打ち出された遊技球が流下する遊技領域を有する遊技機において、前記遊技領域内に配設され、前記遊技領域を流下する遊技球をステージ内に導入するための導入口と、前記導入口から導入された遊技球を落下させる落下部と、当該落下部から落下した遊技球が転動する転動面と、遊技球をステージから導出する導出口を有するステージ構造を備え、風車が、前記ステージ構造内に少なくとも一つ配設され、前記風車の動きを駆動制御する駆動機構を備える遊技機に関するものである。
【背景技術】
【０００２】
従来よりパチンコ遊技機は、各種入賞口や複数の釘などが配設された遊技球が流下するための遊技領域を備え、遊技者は、当該遊技領域に遊技球を打ち出すことにより遊技を楽しむものであった。
【０００３】
また図１９に示すように、従来のパチンコ遊技機においては、図柄変動表示装置Ｄが遊技盤の略中央部に配設され、さらに当該図柄変動表示装置の下部に遊技球を転動させる転動面Ｔを配設したステージ構造Ｓを備えたものであり、前記遊技領域を流下する遊技球を導入口Ｅからステージ構造内部に導入し、前記ステージ構造の転動面Ｔ上において遊技球を転動させるものであった。
【特許文献１】特開２００１−３１４５７５
【発明の開示】
【発明が解決しようとする課題】
【０００４】
しかしながら上記従来のパチンコ遊技機においては、図１９に示されるように、遊技者が打ち出した遊技球は、まず初めに遊技領域を流下し、次に前記導入口Ｅからステージ構造Ｓ内に導入され前記転動面Ｔに案内されても、当該転動面Ｔ上において左右方向に転がり動くのみで、前記転動面Ｔ上における遊技球の転動態様が単調で興趣に欠けるという問題があった。
【０００５】
そこで本発明者らは、打ち出された遊技球が流下する遊技領域を有する遊技機において、前記遊技領域内に配設された前記導入口により前記遊技領域を流下する遊技球がステージ内に導入され、前記導入口から導入された遊技球が前記落下部から前記ステージ構造の前記転動面に落下し、当該落下部から落下した遊技球が前記転動面を転動して、遊技球が前記導出口を介してステージから導出する際に、打ち出された遊技球が流下する遊技領域を有する遊技機において、前記遊技領域内に配設され、前記遊技領域を流下する遊技球をステージ内に導入するための導入口と、前記導入口から導入された遊技球を落下させる落下部と、当該落下部から落下した遊技球が転動する転動面と、遊技球をステージから導出する導出口を有するステージ構造を備え、前記ステージ構造内に少なくとも一つ配設された前記風車を前記駆動機構によりその動きを駆動制御して、前記遊技球が前記風車に接触した時に遊技球の動きおよび方向に変化を与えるという本発明の技術的思想に着眼して、さらに研究開発を重ねた結果、従来の遊技球との接触または衝突による被動のみの風車に比べて斬新な風車の挙動態様を実現するとともに、ステージ構造内における遊技球の挙動態様を多種多様なものとし、興趣の向上および遊技者に対する視覚効果を高めるという目的を達成する本発明に到達した。
【課題を解決するための手段】
【０００６】
本発明（請求項１に記載の第１発明）の遊技機は、
打ち出された遊技球が流下する遊技領域を有する遊技機において、
前記遊技領域内に配設され、前記遊技領域を流下する遊技球をステージ内に導入するための導入口と、前記導入口から導入された遊技球を落下させる落下部と、当該落下部から落下した遊技球が転動する転動面と、遊技球をステージから導出する導出口を有するステージ構造を備え、
風車が、前記ステージ構造内に少なくとも一つ配設され、
前記風車の動きを駆動制御する駆動機構を備える
ものである。
【０００７】
本発明（請求項２に記載の第２発明）の遊技機は、
前記第１発明において
前記駆動機構が、前記風車の回転方向を制御する手段によって構成されている
ものである。
【０００８】
本発明（請求項３に記載の第３発明）の遊技機は、
前記第１発明または第２発明において、
前記駆動機構が、前記風車の回転速度を制御する手段によって構成されている
ものである。
【０００９】
本発明（請求項４に記載の第４発明）の遊技機は、
前記第１発明ないし第３発明のいずれかにおいて、
複数の風車が前記ステージ構造内に配設され、
前記駆動機構が、前記複数の風車の回転を連動させて駆動制御する手段によって構成されている
ものである。
【００１０】
本発明（請求項５に記載の第５発明）の遊技機は、
前記第１発明ないし第４発明のいずれかにおいて、
前記風車を回転自在に支持する支持部を移動可能に支持する移動機構を備え、
前記駆動機構が、当該風車の移動を制御する手段によって構成されている
ものである。
【００１１】
本発明（請求項６に記載の第６発明）の遊技機は、
前記第１発明において、
前記風車を回転自在に支持する支持部を移動可能に支持する移動機構を備え、
前記駆動機構が、風車の回転を制御する第１の駆動機構と
前記風車の移動を制御する第２の駆動機構とからなる
ものである。
【００１２】
本発明（請求項７に記載の第７発明）の遊技機は、
前記第１発明ないし第６発明のいずれかにおいて、
前記風車を回転自在に支持する風車軸に遠心カップリングが配設され、遊技球が風車に接触またはおよび衝突した時は、風車が風車軸に対して相対回転自在であり、風車軸が回転駆動された時には遠心カップリングが係合し、風車が風車軸と一体回転するように構成されている
ものである。
【００１３】
本発明（請求項８に記載の第８発明）の遊技機は、
前記第１発明ないし第６発明のいずれかにおいて、
前記駆動機構の一部に遠心カップリングが配設され、遊技球が風車に接触またはおよび衝突した時は、風車と前記駆動機構の前記遠心カップリングの下流側部位が相対回転自在であり、前記駆動機構の前記遠心カップリングの上流側部位が回転駆動する時には遠心カップリングが係合し、前記風車、前記駆動機構の前記遠心カップリングの上流側部位および下流側部位がともに回転するように構成されている
ものである。
【発明の効果】
【００１４】
上記構成より成る第１発明の遊技機は、打ち出された遊技球が流下する遊技領域を有する遊技機において、前記遊技領域内に配設された前記導入口により前記遊技領域を流下する遊技球がステージ内に導入され、前記導入口から導入された遊技球が前記落下部から前記ステージ構造の前記転動面に落下し、当該落下部から落下した遊技球が前記転動面を転動して、遊技球が前記導出口を介してステージから導出する際に、前記ステージ構造内に少なくとも一つ配設され、前記駆動機構によってその動きが駆動制御された前記風車によって遊技球の動きおよび方向に変化を与えるので、従来の遊技機との接触または衝突による被動のみの風車に比べて斬新な風車の挙動態様を実現するとともに、ステージ構造内における遊技球の挙動態様を多種多様なものとし、興趣の向上および遊技者に対する視覚効果を高めるという効果を奏する。
【００１５】
上記構成より成る第２発明の遊技機は、前記第１発明において、ステージ構造内を転動する遊技球が前記駆動機構によってその回転方向を制御された前記風車によって遊技球の動きおよび方向に変化を与えられるので、遊技球の動きおよび方向の相乗作用により遊技球の転動態様を多種多様なものとするとともに、転動する遊技球に対して所定の方向付けを付与できるという効果を奏する。
【００１６】
上記構成より成る第３発明の遊技機は、前記第１発明または第２発明において、ステージ構造内へと導入された遊技球が、前記駆動機構によってその回転速度を制御された前記風車によって転動する遊技球の動き、方向および速度に変化を与え、遊技球の動きおよび方向の相乗作用により遊技球の転動態様を多種多様なものとするとともに、メリハリのある転動態様を実現するとともに、もって遊技者の単調感を解消し興趣の向上を実現するという効果を奏する。
【００１７】
上記構成より成る第４発明の遊技機は、前記第１発明ないし第３発明のいずれかにおいて、ステージ構造内を転動する遊技球が前記駆動機構によって連動させて駆動制御された前記複数の風車によって、遊技者にとって予想外の遊技球の転動態様を実現しうるとともに、前記複数の風車が連動するので遊技者に斬新な視覚効果を与え、もって興趣の向上を実現するという効果を奏する。
【００１８】
上記構成より成る第５発明の遊技機は、前記第１発明ないし第４発明のいずれかにおいて、ステージ構造内を転動する遊技球が、前記移動機構および前記駆動機構によって移動する前記風車によってその動きおよび方向に変化を与えられるので、遊技球の動きおよび方向の相乗作用により遊技球の転動態様にバリエーションを持たせるとともに、前記移動機構および前記駆動機構によって前記風車が移動可能であるため、風車の挙動態様に幅、深みを持たせて斬新な風車の挙動態様を実現し、遊技者の注意をさらに惹くとともに、興趣の更なる向上を実現するという効果を奏する。
【００１９】
上記構成より成る第６発明の遊技機は、前記第１発明において、前記風車を回転自在に支持する支持部を移動可能に支持する移動機構を備え、前記ステージ構造内へ導入された遊技球が前記第１の駆動機構によりその回転を制御された前記風車によって転動態様に変化を与えられ、さらに第２の駆動機構によって当該風車が移動するため回転制御のみや移動制御のみされた風車とは異なる影響力を付与され、遊技球の転動態様のバリエーションをさらに多種多様なものとするとともに、風車の位置を可変にし、ステージ構造内における転動面の状態のバリエーションを豊かにし、もって遊技者の単調感を解消して興趣の向上を実現するという効果を奏する。
【００２０】
上記構成より成る第７発明の遊技機は、前記第１発明ないし第６発明のいずれかにおいて、遊技球が風車に接触またはおよび衝突した時は、前記風車を回転自在に支持する風車軸に配設された前記遠心カップリングが非係合であるので、風車が風車軸に対して相対回転自在であり、風車軸が回転駆動された時には前記遠心カップリングが係合するため、風車が風車軸と一体回転するものであるので、遊技球との接触または衝突によって被動回転した風車が、前記駆動機構によって風車軸を介して駆動回転されるため、遊技者にとって前記風車の種類の異なる回転態様を楽しむことが出来るとともに、それに伴い予想外の遊技球の転動態様を実現しうるとともに、前記複数の風車が連動するので遊技者に斬新な視覚効果を与え、もって興趣の向上を実現するという効果を奏する
【００２１】
上記構成より成る第８発明の遊技機は、前記第１発明ないし第６発明のいずれかにおいて、遊技球が風車に接触またはおよび衝突した時は、風車と前記駆動機構の一部に配設された前記遠心カップリングの下流側部位が相対回転自在であり、前記駆動機構の前記遠心カップリングの上流側部位が回転駆動する時には遠心カップリングが係合し、前記風車、前記駆動機構の前記遠心カップリングの上流側部位および下流側部位がともに回転するものであるので、遊技者にとって前記風車の種類の異なる回転態様を楽しむことが出来るとともに、それに伴い予想外の遊技球の転動態様を実現しうるとともに、前記複数の風車が連動するので遊技者に斬新な視覚効果を与え、もって興趣の向上を実現するという効果を奏する。
【発明を実施するための最良の形態】
【００２２】
以下本発明の最良の実施形態について、実施例に基づき図面を用いて説明する。
【実施例１】
【００２３】
本第１実施例のパチンコ遊技機は、図１に示すように、打ち出された遊技球が流下する遊技領域３を有するパチンコ遊技機１において、前記遊技領域３内に配設され、前記遊技領域３を流下する遊技球をステージ内に導入するための導入口１１と、前記導入口１１から導入された遊技球を落下させる落下部１３と、当該落下部から落下した遊技球が転動する転動面６０と、遊技球をステージから導出する導出口６０ｅを有するステージ構造６を備え、風車１４ａないし１４ｅが前記転動面６０に配設されるとともに駆動機構９００により回転駆動されるように構成されているものである。
【００２４】
前記パチンコ遊技機１は、図２に示すように、遊技盤２を備え、遊技盤２は、遊技者がハンドル４を操作することによって発射された遊技球が流下する遊技領域３を備える。当該遊技領域３の中央部には、様々な図柄等が変動表示される図柄変動表示装置５が配設され、その下部には、始動入賞口７が配設されている。当該始動入賞口７に遊技球が入賞することを契機として遊技制御基板による大当たり抽選が行われる。前記始動入賞口７の下部には、アタッカー８が配設され、当該アタッカー８は、大当たり発生時に所定回数だけ開放状態となり多数の遊技球が入賞するように構成されている。また、前記始動入賞口７上部には、遊技領域３を流下する遊技球を遊技領域３からステージ構造６の内部へ導入させて流下および転動等させるステージ構造６が配設されている。
【００２５】
図１に示すように本第１実施例のステージ構造６は、転動面６０、左側面６１、右側面６２、天井面６３および前記図柄変動表示装置５が配設される奥面６４によって、前方（遊技者方向）に向かって開口した所定の空間を有する構造となっている。
【００２６】
また遊技球を遊技領域３からステージ構造６０内部へ導入する導入口１１を備え、当該導入口１１から導入された遊技球は、連絡通路１２を介して落下部１３から勢いよく前記転動面６０上へ導かれるように構成されている。
【００２７】
当該転動面６０は、全体的に前記奥面６４に近い後方から前方（遊技者方向）へ向かってその高さが緩やかに低くなるように傾斜している奥転動面６０ａと、前記左側面６１に近い転動面左端部から中央転動面６０ｄへとその高さが緩やかに低くなるように傾斜した左転動面６０ｂと、同じく前記右側面６２に近い転動面右端部から中央転動面６０ｄへと緩やかに下るように傾斜した右転動面６０ｃとを備えている。
【００２８】
また当該左転動面６０ｂと右転動面６０ｃに挟まれるように、前記始動入賞口７上部付近へ遊技球を導出する導出部６０ｅを備えた中央転動面６０ｄが配設されている。
【００２９】
さらに前記転動面６０の前記中央転動面６０ｄおよび奥転動面６０ａ、左転動面６０ｂ、右転動面６０ｃから構成される転動面の各部には、５個の風車１４ａないし１４ｅが配設されている。
【００３０】
図３に示すように、転動面６０の奥転動面６０ａに２つの風車１４ａおよび１４ｂが配設され、前方（遊技者方向）の左転動面６２ｂ、右転動面６２ｃおよび中央転動面６２ｄに各１個、合計３個の風車１４ｃないし１４ｅが配設されるものである。
【００３１】
前記風車１４ａないし１４ｅは、図４に示すように、前記駆動機構９００としてのモータ９０のモータ軸９１を延長して形成した風車軸１４１と、当該風車軸１４１と一体的に形成された円筒部材１４３と、当該円筒部材１４３の外周面に１２０度間隔で突設された略台形板部材によって構成される羽根部１４０と、表面が装飾され前記転動面６０と平行な正円形の板金１４２によって構成される。前記羽根部１４０および前記円筒部材１４３は、前記板金１４２の裏面に固設されているため、羽根部１４０が回転すると、これに伴って一体的に当該板金１４２および前記円筒部材１４３も回転する構成となっている。
【００３２】
ここで前記駆動機構９００は、図４に示すように、遊技盤面にベアリング部材２０００を介して回転自在に垂直に配設された前記モータ軸９１と、前記モータ軸９１と一体的に回転する回転子を備えたモータ９０と、図示しない電源および駆動制御回路とによって構成されるものである。
【００３３】
前記導入口１１から導入した遊技球を転動面へと導く落下部１３側に近い左の３つの風車１４ａ、１４ｃ、１４ｄは、前記駆動制御回路の駆動制御指令に従い前記駆動機構９００によって反時計方向に回転するよう駆動制御されている。また残りの風車１４ｂおよび１４ｅは、同様に前記駆動機構９００によって時計方向に回転するよう駆動制御されるものである。
【００３４】
また、前記奥転動面６０ａに配設された前記風車１４ａおよび１４ｂの回転速度は、残りの手前部に配設された前記風車１４ｃないし１４ｅの回転速度に比べ遅い速度で駆動制御されている。
【００３５】
以下上記構成より成る本第１実施例のパチンコ遊技機の作用および効果について説明する。
【００３６】
上記構成より成る本第１実施例のパチンコ遊技機において、遊技者がハンドル４を操作して遊技球を発射すると、当該遊技球は、遊技領域３を複雑に流下し、その一部の遊技球が前記導入口１１からステージ構造６内に導かれ、前記連絡通路１２を介して落下部１３から勢いよく転動面６０上に放出される。放出された遊技球は、転動面６０を構成する奥転動面６０ａ、左転動面６０ｂ、右転動面６０ｃおよび中央転動面６０ｄ上を左右方向または前後方向に転動する。
【００３７】
さらに、当該転動面６０上には、上述したように複数の風車１４ａないし１４ｅが配設されているため、前記転動面６０上を転動する遊技球の多数は、その転動面６０上における転動中にこれらの風車１４ａないし１４ｅの円筒部材１４３に接触または衝突したり、羽根部１４０に接触または衝突する。
【００３８】
またその際に風車１４ａないし１４ｅは、上述したように前記駆動機構９００によって回転制御されているので、当該風車１４ａないし１４ｅに接触又は衝突した遊技球は当該風車１４ａないし１４ｅの回転速度、回転方向、または衝突位置等の条件に応じて転動面６０上を様々な軌跡で転動する。
【００３９】
さらに上述したように前記風車１４ａないし１４ｅのうち前記奥転動面６０ａに配設された前記風車１４ａおよび１４ｂの回転速度は、残りの手前部に配設された前記風車１４ｃないし１４ｅの回転速度に比べ遅い速度で駆動制御されているので、風車１４ａおよび１４ｂに衝突した場合には遊技球の転動態様は緩やかに変化し、一方回転速度の速い残りの風車１４ｃないし１４ｅに衝突した場合には遊技球の転動態様は激しく変化する。
【００４０】
また図３に示すように前記風車１４ａないし１４ｅのうち前記落下部１３に近い風車１４ａ、１４ｃ、１４ｄは、前記駆動機構９００によって反時計方向に回転するよう駆動制御され、残りの風車１４ｂおよび１４ｅは、前記駆動機構９００によって時計方向に回転するよう駆動制御されているので、前記落下部１３から前記転動面６０上に案内された遊技球が、前記風車１４ａないし１４ｅの回転方向に応じて前記ステージ構造６の前記転動面６０手前部に配設された前記導出口６０ｅから落下しようとする遊技球を再び転動面上流へ戻されるように転動したり、衝突した風車、風車の回転速度、回転方向等に応じて通常通りにくいルートへと押しやられたりすることもあるのである。
【００４１】
上記作用を奏する本第１実施例のパチンコ遊技機は、前記落下部１３から導入された遊技球が前記転動面６０を転動して、遊技球が前記導出口６０ｅを介してステージから導出する際に、前記ステージ構造６内に配設され、前記駆動機構９００によってその動きが駆動制御された５つの前記風車１４ａないし１４ｅによって遊技球の動きおよび方向に変化を与えるので、従来の遊技機における遊技球との接触または衝突による被動のみの風車に比べて斬新な風車の挙動態様を実現するとともに、ステージ構造内における遊技球の挙動態様を多種多様なものとし、興趣の向上および遊技者に対する視覚効果を高めるという効果を奏する。
【００４２】
また本第１実施例のパチンコ遊技機は、前記ステージ構造６内を転動する遊技球が前記駆動機構９００によってその回転方向を制御された前記風車１４ａないし１４ｅによって遊技球の動きおよび方向にその風車の回転方向に応じた変化を与えられるので、遊技球の動きおよび方向の相乗作用により遊技球の転動態様を多種多様なものとするとともに、前記転動面６０上を転動する遊技球に対して所定の方向付けを付与できるという効果を奏する。
【００４３】
さらに本第１実施例のパチンコ遊技機は、前記ステージ構造内へと導入された遊技球が、前記駆動機構９００としてのモータ９０によってその回転速度を制御された前記風車１４ａないし１４ｅによって転動する遊技球の動き、方向および速度に変化を与え、遊技球の動きおよび方向の相乗作用により遊技球の転動態様を多種多様なものとするとともに、前記風車１４ａないし１４ｅの回転速度の差によってメリハリのある転動態様を実現するとともに、もって遊技者の単調感を解消し興趣の向上を実現するという効果を奏する。
【００４４】
また、本第１実施例のパチンコ遊技機は、前記風車１４ａないし１４ｅの回転方向のみならず回転速度も前記駆動機構９００によって駆動制御されているので、前記風車１４ａないし１４ｅの回転方向と回転速度の相乗作用によって様々な遊技球の転動態様を実現するとともに、前記ステージ構造６内における遊戯性を興趣に富んだものとし、遊技者の視覚にも訴えることができるという効果を奏する。
【実施例２】
【００４５】
本第２実施例のパチンコ遊技機は、図５ないし図９に示すように、移動機構としてのスライド機構７００および風車の移動を駆動するための駆動機構８００としてのソレノイド８０を配設する点が、上述の第１実施例との主な相違点であり、以下相違点を中心に説明する。
【００４６】
本第２実施例のパチンコ遊技機においては、図５および図６に示すように、前記風車１４ａ、１４ｂ、１４ｃ、１４ｅは第１実施例と同様に、モータ（図示せず）によって所定の方向に回転駆動されているものである。また前記中央転動面６０ｄに配設された残りの風車１４ｄは、前記モータ８００によって回転駆動はされず時計方向および反時計方向どちらにも回転自在に構成され、前記スライド機構７００と前記ソレノイド８０によって左右方向にスライド自在に配設されているものである。
【００４７】
図７ないし図９に示すように前記スライド機構７００は、前記風車１４ｄの風車軸１４１が垂直に植設され前記風車を回転自在に支持する支持部７１と、前記支持部７１をスライド自在に支持するためのガイドレール７０と、前記風車軸１４１のスライド移動を直線方向に規制してガイド可能にするためのガイドスロット７２とが形成する枠体７３によって構成され、前記転動面６０の下部に前記枠体７３を埋設するものである。
【００４８】
前記支持部７１は、前記駆動機構８００としてのソレノイド８０のプランジャ８２の先端に固定され、当該プランジャ８２の往復動に対応してその位置が変化するものである。
【００４９】
また前記支持部７１の一端は、前記プランジャ７２に固定され、その他端は、前記スライド機構７００の前記ガイドレール７０内の図９中左端部に固定されたコイルスプリング７４の一端が係止されるものである。
【００５０】
図９（Ａ）に示すように前記ソレノイド８０が未通電の場合には前記風車軸１４１を回転自在に支持する支持部７１は、前記コイルスプリング７４の引張力によって図中左方向に付勢され前記ガイドレール７０内左端部に移動することにより風車１４ｄが左方向に移動するものである。
【００５１】
一方図９（Ｂ）に示すように前記ソレノイド８０が通電状態にある場合には、前記コイルスプリング８３の引張力に抗して前記プランジャ８２が前記ソレノイド８０内に進入後退することにより前記支持部７１が前記ガイドレール７０内右端部に移動することにより風車１４ｄが右方向に移動するものである。
【００５２】
当該ソレノイド８０は、図示しない駆動制御回路からの駆動制御指令によって所定の間隔で通電、未通電の状態が切り替えられ、これに応じて前記転動面６０上に配設された風車１４ｄが左右方向にガイドスロット７２に沿って往復移動を繰り返すものである。
【００５３】
以下上記構成より成る本第２実施例のパチンコ遊技機の作用および効果について説明する。
【００５４】
上記構成より成る本第２実施例のパチンコ遊技機は、遊技球が前記転動面６０に導かれると、第１実施例同様導入された遊技球は、転動面６０を構成する奥転動面６０ａ、左転動面６０ｂ、右転動面６０ｃおよび中央転動面６０ｄ上を左右方向または前後方向に転動し、前記風車１４ａないし１４ｅに接触またはおよび衝突する。
【００５５】
ここで上述したように前記風車１４ｄを除く全ての風車は、前記モータ８００によって回転方向および回転速度に違いを設けて回転駆動されているので、これらの風車に接触又は衝突した遊技球は当該風車の回転速度、回転方向、または衝突位置等の条件に応じて転動面６０上を様々な軌跡で転動する。
【００５６】
一方前記風車１４ｄは、上述したように前記ソレノイド８０と前記スライド機構７００によって図５中左右方向に所定の間隔でスライド移動しているので、前記中央転動面６０ｄに導かれ同一ルートを転動する遊技球に対して前記風車１４ｄが衝突する場合もあれば、遊技球が通り過ぎるそのタイミングに移動して接触または衝突を免れる場合もある。
【００５７】
上記作用を奏する本第２実施例のパチンコ遊技機は、ステージ構造６内を転動する遊技球が、前記スライド機構７００および前記駆動機構８００としてのソレノイド８０によって移動する前記風車１４ｄによってその動きおよび方向に変化を与えられるので、遊技球の動きおよび方向の相乗作用により遊技球の転動態様にバリエーションを持たせるとともに、前記スライド機構７００および前記駆動機構８００としてのソレノイド８０によって前記風車１４ｄが移動可能であるため、風車の挙動態様に幅、深みを持たせて斬新な風車の挙動態様を実現し、遊技者の注意を惹くとともに、興趣の更なる向上を実現するという効果を奏する。
【００５８】
さらに本第２実施例のパチンコ遊技機においては、前記スライド機構７００によって前記風車１４ｄが前記ソレノイド８０によって前記ガイドスロット７２に沿ってスライド移動しその待機位置を時々刻々と変更するため、風車の待機位置を変更することに伴う遊技球の複雑な転動態様を実現し、視覚的に訴える遊技状態（風車の配置態様、それに基づく遊技球の転動態様等）を実現するとともに、もって遊技者の単調感を解消し、飽きのこない斬新なステージ構造を実現するという効果を奏する。
【実施例３】
【００５９】
本第３実施例のパチンコ遊技機は、図１０に示すように、第２実施例の風車１４ｄに対して、駆動機構９００としてのモータ９０も用いて前記風車１４ｄのスライド駆動のみならず回転駆動も行う点が、上述の第２実施例との主な相違点であり、以下相違点を中心に説明する。
【００６０】
図１０に示すように、第２実施例の前記風車１４ｄ、前記スライド機構７００および前記駆動機構８００としてのソレノイド８０で構成される実施態様に、さらに前記第２実施例における前記支持部７１内にモータ９０が配設され、前記風車軸１４１を回転子と一体のモータ軸９１と一体的に構成するものである。
【００６１】
移動自在の前記モータ９０の下端には、前記枠体７３の下端に開口した開口溝９４を介して電源９３と接続するための接続ケーブル９２が接続され、駆動制御回路からの駆動制御指令によって前記風車１４ｄを反時計方向に回転制御するものである。
【００６２】
以下上記構成より成る本第３実施例のパチンコ遊技機の作用および効果について説明する。
【００６３】
上記構成より成る本第３実施例のパチンコ遊技機は、前記遊技領域３を流下する遊技球が前記導入口１１からステージ構造６内に導入され前記落下部１３から前記転動面６０に導かれると、第１実施例および第２実施例同様、導入された遊技球は、転動面６０を構成する奥転動面６０ａ、左転動面６０ｂ、右転動面６０ｃおよび中央転動面６０ｄ上を左右方向または前後方向に転動し、前記風車１４ａないし１４ｅに接触またはおよび衝突する。
【００６４】
この際前記風車１４ｄを除く全ての風車と遊技球との関係は、上述した第１実施例および第２実施例に示したとおりであり、一方前記風車１４ｄは、上述したように前記ソレノイド８０と前記スライド機構７００によって図５中左右方向に所定の間隔でスライド移動しているので、前記中央転動面６０ｄに導かれ同一ルートを転動する遊技球に対して前記風車１４ｄが衝突する場合もあれば、遊技球が通り過ぎるそのタイミングに移動して接触または衝突を免れる場合もある。
【００６５】
さらに本第３実施例のパチンコ遊技機においては、当該風車１４ｄがさらに前記モータ９０によって回転駆動されているので、左右方向に移動するのみならず前方に向かって転動してくる遊技球に対して風車１４ｄの回転力により動きおよび変化を与えるものである。
【００６６】
上記作用を奏する本第３実施例のパチンコ遊技機は、前記風車１４ｄを回転自在に支持する支持部およびモータ９０を移動可能に支持するスライド機構７００を備え、前記ステージ構造６内へ導入された遊技球が前記第１の駆動機構９００としてのモータ９０によりその回転を制御された前記風車１４ｄによって転動態様に変化を与えられ、さらに第２の駆動機構８００としてのソレノイド８０によって当該風車１４ｄが移動するため、回転制御のみ又は移動制御のみの風車とは異なる影響力を遊技球に付与し、遊技球の転動態様のバリエーションをさらに多種多様なものとするとともに、風車の位置を可変にし、ステージ構造内における転動面の状態のバリエーションを豊かにし、もって遊技者の単調感を解消して興趣の向上を実現するという効果を奏する。
【００６７】
さらに、本第３実施例のパチンコ遊技機においては、前記風車１４ｄが前記スライド機構７００および前記ソレノイド８０によってスライド自在に駆動されるとともに前記モータ９０によって回転制御されるため、移動と回転の組み合わせによる相乗作用によって遊技球の転動態様にバリエーションを与えるとともに、あわせて遊技者にとって斬新な視覚効果を与えるという効果を奏する。
【実施例４】
【００６８】
本第４実施例のパチンコ遊技機は、図１１ないし図１４に示されるように第１実施例における奥転動面に配設する２個の風車１４ａ、１４ｂを、遊技球との接触または衝突により被動回転とモータによる駆動回転を両立させるとともに、１個のモータによって回転駆動する点が、上述の第１実施例および第２実施例との主な相違点であり、以下相違点を中心に説明する。
【００６９】
前記風車１４ａおよび１４ｂは、図１４に示すように風車軸１４１ａ、１４１ｂに固定されモータによって回転駆動された時に突出して後述する羽根部材１４６と係合する遠心カップリングを構成する揺動片を備えた円形部材１４５と、遊技球が接触する羽根部１４０および前記円形部材１４５と係合する係合部が形成された羽根部材１４６とから成る。
【００７０】
前記円形部材１４５は、上端を針状に尖らせた風車軸１４１ａ、１４１ｂの上部に水平に固定され、該円形部材１４５の外周部の複数の凹部１４５０に配設され一端を支点として回転による遠心力が作用した時に外方に揺動する突出部に係合部１４５２が形成された揺動片１４５１と、前記円形部材１４５の外周部内壁と揺動片１４５１との間に介挿され回転していない時には前記揺動片１４５１を前記凹部１４５０内に収納するためのスプリング部材１４５３とを備え、前記風車軸１４１ａ、１４１ｂが回転駆動されると、該円形部材１４５の外周部の複数の凹部１４５０に収納されていた前記揺動片１４５１に回転遠心力が作用するため前記スプリング部材１４５３に抗して一端を支点として半径方向外方に揺動するため、突出部の係合部１４５２が突出するように構成されている。
【００７１】
前記羽根部材１４６は、表面が装飾され中央部に前記風車軸１４１ａ、１４１ｂの針状に尖った先端が介挿される半球状の凹部を形成する突部が形成された円形の板金１４２と、前記板金１４２の外周側下面に配設された内周面に鋸歯状の凹凸が形成された係合部１４６２が形成された環状部材１４６１と、該環状部材１４６１の下面に遊技球が接触する羽根部１４０を構成する３個の略台形プレート１４６２とから成り、遊技球が羽根部１４０を構成する３個の略台形プレート１４６２に接触または衝突すると、前記風車軸１４１ａ、１４１ｂの針状に尖った先端を中心として被動回転するように構成されている。
【００７２】
したがって前記風車軸１４１ａ、１４１ｂが後述するモータによって回転駆動されると、該円形部材１４５の外周部の複数の凹部１４５０に収納されていた前記揺動片１４５１に回転遠心力が作用するため一端を支点として半径方向外方に揺動するため、突出部の係合部１４５２が突出するため、前記環状部材１４６１の内周面の鋸歯状の凹凸が形成された係合部１４６２と係合して一体回転するように構成（遠心カップリング）されている。
【００７３】
駆動機構９００は、図１１および図１２に示されるようにモータ９０のモータ軸９１の先端に固定されたモータギア９０００と連動ギア１４００ａおよび１４００ｂとが噛合するように構成され、該連動ギア１４００ａおよび１４００ｂの軸と前記風車の風車軸１４１ａおよび１４１ｂが一体的に回転するように構成されているため、前記風車１４ａおよび１４ｂが、同じ方向に回転連動するように構成されている。
【００７４】
上記構成より成る第４実施例パチンコ遊技機は、前記奥転動面６０ａを転動する遊技球が、前記羽根部１４０を構成する３個の略台形プレート１４６２に接触または衝突すると、前記風車１４ａ、１４ｂが前記風車軸１４１ａ、１４１ｂの針状に尖った先端を中心として被動回転するものである。
【００７５】
ここで前記駆動機構９００の前記モータ９０が、例えばゲート通過または入賞に同期する駆動制御指令に基づき時計方向に回転させると、図１２に示すように前記連動ギア１４００ａおよび１４００ｂはともに反時計方向に回転し、前記風車１４ａおよび１４ｂは、前記モータ９０によって反時計方向に回転連動されるものである。
【００７６】
したがって前記風車軸１４１ａ、１４１ｂが、前記モータ９０によって反時計方向に回転駆動されると、該円形部材１４５の外周部の複数の凹部１４５０に収納されていた前記揺動片１４５１に回転遠心力が作用するため一端を支点として半径方向外方に揺動するため、突出部の係合部１４５２が突出するので、前記環状部材１４６１の内周面の鋸歯状の凹凸が形成された係合部１４６２と係合して前記風車１４ａ、１４ｂ反時計方向に駆動回転される。
【００７７】
上記作用を奏する本第４実施例のパチンコ遊技機は、前記落下部１３から導入された遊技球が前記転動面６０を転動して、遊技球が前記導出口６０ｅを介してステージから導出する際に、前記奥転動面６０ａを転動する遊技球が、前記羽根部１４０を構成する３個の略台形プレート１４６２に接触または衝突すると、前記風車１４ａ、１４ｂが前記風車軸１４１ａ、１４１ｂの針状に尖った先端を中心として被動回転するとともに、ゲート通過または入賞に同期する前記駆動制御指令によってその回転が駆動制御された２つの前記風車１４ａおよび１４ｂによって遊技球の動きおよび方向に変化を与えるので、従来の遊技機との接触または衝突による被動のみの風車に比べて斬新な風車の挙動態様を実現するとともに、ステージ構造内における遊技球の挙動態様を多種多様なものとし、興趣の向上および遊技者に対する視覚効果を高めるという効果を奏する。
【００７８】
また本第４実施例のパチンコ遊技機は、前記ステージ構造６内を転動する遊技球が前記駆動機構９００によってその回転方向を制御された前記風車１４ａおよび１４ｂによって遊技球の動きおよび方向にその風車の回転方向に応じた変化を与えられるので、遊技球の動きおよび方向の相乗作用により遊技球の転動態様を多種多様なものとするとともに、前記転動面６０上を転動する遊技球に対して所定の方向付けを付与できるという効果を奏する。
【００７９】
さらに本第４実施例のパチンコ遊技機は、ステージ構造６内を転動する遊技球との接触または衝突による風車１４ａ、１４ｂの被動回転と同じ風車１４ａ、１４ｂが前記駆動機構としてのモータ９０によって連動させて駆動回転されるため、遊技者にとって前記風車１４ａ、１４ｂの種類の異なる回転態様を楽しむことが出来るとともに、それに伴い予想外の遊技球の転動態様を実現しうるとともに、前記複数の風車が連動するので遊技者に斬新な視覚効果を与え、もって興趣の向上を実現するという効果を奏する
【００８０】
また本第４実施例のパチンコ遊技機は、１個のモータによって二つの風車を回転駆動するものであるので、上述の第１実施例に比べて駆動機構のモータの数を減らすことが出来るので、コストダウンを可能にするという効果を奏する。
【００８１】
さらに本第４実施例のパチンコ遊技機は、各風車に遠心カップリングを配設するものであるので、複数の風車をそれぞれ独立に被動回転させることができるという効果を奏する。
【実施例５】
【００８２】
本第５実施例のパチンコ遊技機は、図１５ないし図１７に示されるように転動面に配設する３個の風車１４ａないし１４ｃを、遊技球との接触または衝突により被動連動回転とモータ９０による駆動回転を両立させるとともに、１個のモータ９０によって回転駆動する点が、上述の第４実施例との主な相違点であり、以下相違点を中心に説明する。
【００８３】
３個の風車１４ａないし１４ｃは、図１５に示されるように第１実施例における底転動面の左右の転動面６０ｂ、６０ｃに一列に配設されるもので、各風車軸１４１ａないし１４１ｃは、テフロン（登録商標）ブッシュを介して遊技盤に回転自在に貫通植設される。
【００８４】
各風車軸１４１ａないし１４１ｃの下端には、図１５および図１６に示されるように外径すなわちギア比の異なるギア１４００ａ、１４００ｂ、１４００ｃが配設され、図中右端には駆動機構としてのモータ９０の出力軸９１の上端に配設されたギア１４００ｄが配設され、ベルトＢが４個のギアに巻装され、モータ９０の回転によってベルトＢを介して異なった回転速度でギア１４００ａ、１４００ｂ、１４００ｃが連動して回転するように構成されている。
【００８５】
モータ９０の出力軸９１上には、上下カップリング３１、３２を選択的に係合させる遠心カップリング３０が介挿配設されている。
【００８６】
前記遠心カップリング３０は、図１７に示されるようにモータ９０の出力軸９１に連絡して、上面に環状の鋸歯状の係合面が形成された下カップリング３１と、ベルトＢが巻装された駆動ギアとしてのギア１４００ｄに回転連絡しており下面に環状の鋸歯状の係合面３２１が形成された上カップリング３２とから成る。      
【００８７】
前記下カップリングは、図１７に示されるように略Ｔの字状の縦断面形状のベース部材３１０と、該ベース部材３１０の環状の凹部３１００に複数放射状に介挿されモータからの回転駆動によってスプリング部材３１２に抗して半径方向外方に移動する傾斜した外周面が形成された遠心部材３１１と、遠心部材３１１が半径方向外方に移動すると上方に移動する傾斜した内周面が形成された上方部材３１３と、該上方部材３１３の上方への移動に応じて上方に移動するものであって上面に環状の鋸歯状の係合面３１４１が形成されるとともに上方に移動した時にも前記ベース部材３１０の多角形横断面形状の突起部３１０１との回転連絡を可能にする軸方向移動可能な多角形横断面形状の係止部３１４２を備えた係合部材３１４とから成る。
【００８８】
上記構成より成る第５実施例パチンコ遊技機は、前記転動面６０ｂ、６０ｃを転動する遊技球が、前記風車１４ａないし１４ｃのいずれかの風車の前記羽根部１４０に接触または衝突すると、その羽根が回転するが、前記風車１４ａないし１４ｃは、風車軸１４１ａないし１４１ｃの下端に配設されたギア１４００ａ、１４００ｂ、１４００ｃおよび駆動ギアとしてのギア１４００ｄもベルトＢが巻装されており、しかもモータ９０の出力軸９１上に介挿配設された前記遠心カップリング３０の上下カップリング３１、３２は非係合であるため、遊技球によって回転した風車のギアが駆動ギアとなってその他のギアも異なった回転速度で連動回転するため、そのギアと一体となってその他の風車も連動回転するものである。
【００８９】
ここで前記駆動機構９００の前記モータ９０が、例えばゲート通過または入賞に同期する駆動制御指令に基づき回転すると、図１７に示すように前記ベース部材３１の環状の凹部３１０に複数放射状に介挿されモータ９０からの回転駆動によってスプリング部材３１２に抗して傾斜した外周面が形成された遠心部材３１１が半径方向外方に移動するので、該遠心部材３１１が半径方向外方に移動すると傾斜した内周面が形成された上方部材３１３が上方に移動するため、当該上方部材３１３の上方への移動に応じて上面に環状の鋸歯状の係合面３１４１が形成された前記係合部材３１４が上方に移動して、下面に環状の鋸歯状の係合面３２１が形成された上カップリング３２と選択的に係合することになり、結果としてベルトＢが巻装された駆動ギアとしてのギア１４００ｄが回転するため、ベルトＢが巻装されたギア１４００ａ、１４００ｂ、１４００ｃが異なった回転速度で回転することから、各風車１４ａないし１４ｃおよび風車軸１４１ａないし１４１ｃが異なった回転速度で回転するものである。
【００９０】
上記作用を奏する本第５実施例のパチンコ遊技機は、前記奥転動面６０ｂ、６０ｃを転動する遊技球が、前記風車１４ａないし１４ｃのいずれかに接触または衝突すると、遊技球によって回転した風車と一体的に回転するギアが駆動ギアとなってベルトＢを介してその他のギアも異なった回転速度で連動回転するため、そのギヤと一体となってその他の風車も連動回転するとともに、ゲート通過または入賞に同期する前記駆動制御指令によってその回転が駆動制御され異なった回転速度で回転する前記風車１４ａないし１４ｃによって遊技球の動きおよび方向に変化を与えるので、従来の遊技機における遊技球との接触または衝突による被動のみの風車に比べて斬新な風車の挙動態様を実現するとともに、ステージ構造内における遊技球の挙動態様を多種多様なものとし、興趣の向上および遊技者に対する視覚効果を高めるという効果を奏する。
【００９１】
また本第５実施例のパチンコ遊技機は、前記ステージ構造６内の転動面を転動する遊技球が前記駆動機構９００によってその回転方向を制御された前記風車１４ａおよび１４ｃによって遊技球の動きおよび方向にその風車の回転方向に応じた変化を与えられるので、遊技球の動きおよび方向の相乗作用により遊技球の転動態様を多種多様なものとするとともに、前記転動面６０ｂ、６０ｃ上を転動する遊技球に対して所定の方向付けを付与できるという効果を奏する。
【００９２】
さらに本第５実施例のパチンコ遊技機は、ステージ構造６内を転動する遊技球との接触または衝突による風車１４ａないし１４ｃの被動回転と同じ風車１４ａないし１４ｃが前記駆動機構としてのモータ９０によって連動させて駆動回転されるため、遊技者にとって前記風車１４ａないし１４ｃの種類の異なる回転態様を楽しむことが出来るとともに、それに伴い予想外の遊技球の転動態様を実現しうるとともに、前記複数の風車が連動するので遊技者に斬新な視覚効果を与え、もって興趣の向上を実現するという効果を奏する
【００９３】
また本第５実施例のパチンコ遊技機は、１個のモータによって三つの風車を異なった回転速度で回転駆動するものであるので、上述の第１実施例に比べて駆動機構のモータの数を減らすことが出来るので、コストダウンを可能にするという効果を奏する。
【００９４】
さらに本第５実施例のパチンコ遊技機は、モータの出力軸に１個の遠心カップリングを配設するものであるため、各風車に遠心カップリングを配設する上述の第４実施例に比べて、遠心カップリングの数を減らすことが出来るので、コストダウンを可能にするという効果を奏する。
【００９５】
上述の実施例は、説明のために例示したもので、本発明としてはそれらに限定されるものではなく、特許請求の範囲、発明の詳細な説明および図面の記載から当業者が認識することができる本発明の技術的思想に反しない限り、変更および付加が可能である。
【００９６】
例えば、上述した実施例において、ステージ構造６内の転動面６０、左側面６１、天井面６３および奥面６４のうち前記転動面６０に風車、移動機構および駆動機構を配設する例について説明したが、本発明はこれらに限定されるものではなく、これらの単一面にのみ風車等を配設するのみならず、複数面に同一または異なる構成で風車等を配設する態様にも適用可能である。
【００９７】
また上述の実施例において、ステージ構造内に風車を配設し、それと組み合わせて傾斜面（例えば奥転動面６０ａ等）を配設する例について説明したが、本発明はこれらに限定されるものではなく、ステージ構造内に風車と段差部、釘、落下口、ワープ導入口、転動路または可動部材等を組み合わせて配設する態様にも適用可能である。
【００９８】
さらに、風車の羽根部の構成について、本発明は必要に応じた複数の枚数（例えば２枚または４枚）の羽根部を有する風車を採用可能である。
【００９９】
さらに本発明は、前記転動面６０に風車ではなくその他の回転体を採用する変形態様も採用可能である。例えば図１８に示すように、前記転動面６０にシリコンゴムで構成された３つの六角錐を並設し、前記駆動機構としてのモータ９０によってその中央の六角錐３０００ｂを回転駆動し、当該六角錐３０００ｂ頭上の受け皿１３０中央に配設された落下部１３から遊技球を落下させると、落下した玉が当該シリコンゴム製の回転駆動された六角錐３０００ｂに衝突し、転動面６０上でその他の六角錐３０００ａ、３０００ｃまたは壁６１、６２、６４に当たったりして様々な態様で転動させることを可能にするものである。
【産業上の利用可能性】
【０１００】
打ち出された遊技球が流下する遊技領域を有する遊技機において、前記遊技領域内に配設された前記導入口により前記遊技領域を流下する遊技球がステージ内に導入され、前記導入口から導入された遊技球が前記落下部から前記ステージ構造の前記転動面に落下し、当該落下部から落下した遊技球が前記転動面を転動して、遊技球が前記導出口を介してステージから導出する際に、前記ステージ構造内に少なくとも一つ配設され、前記駆動機構によってその動きが駆動制御された前記風車によって遊技球の動きおよび方向に変化を与えるので、従来の遊技機との接触または衝突による被動のみの風車に比べて斬新な風車の挙動態様を実現するとともに、ステージ構造内における遊技球の挙動態様を多種多様なものとし、興趣の向上および遊技者に対する視覚効果を高めるという用途に適用できる。
【図面の簡単な説明】
【０１０１】
【図１】本発明の第１実施例のパチンコ遊技機におけるステージ構造の全体を示す斜視図である。
【図２】本第１実施例のパチンコ遊技機の全体を示す正面図である。
【図３】本第１実施例のステージ構造内部を上部から見た部分拡大平面図である。
【図４】本第１実施例における風車および駆動機構を示す断面図である。
【図５】本発明の本第２実施例のパチンコ遊技機のステージ構造の全体を示す斜視図である。
【図６】本第２実施例のステージ構造内部を上部から見た部分拡大平面図である。
【図７】本発明の第２実施例のスライド機構を示す部分平面図である。
【図８】本第２実施例の風車、スライド機構および駆動機構を示す図７中Ａ−Ａ線に沿う断面図である。
【図９】本第２実施例の風車がスライド機構および駆動機構によってスライド移動した状態を示す図７中Ｂ−Ｂ線に沿った断面図である。
【図１０】本発明の第３実施例のパチンコ遊技機における回転駆動される風車がスライド機構および駆動機構によってスライド移動した状態を示す断面図である。
【図１１】本発明の本第４実施例のパチンコ遊技機における各風車の連動関係を示す部分拡大側面図である。
【図１２】本第４実施例における各風車の連動回転関係を示す部分拡大平面図である。
【図１３】本第４実施例における風車内に配設された遠心カップリングを示す部分拡大断面図である。
【図１４】本第４実施例における風車内に配設された遠心カップリングを示す図１３中Ａ−Ａ線に沿う部分拡大断面図である。
【図１５】本発明の本第５実施例のパチンコ遊技機における各風車の連動関係を示す部分拡大側面図である。
【図１６】本第５実施例における各風車の連動回転関係を示す部分拡大平面図である。
【図１７】本第５実施例におけるモータの出力軸上に配設された遠心カップリングを示す部分拡大断面図である。
【図１８】本発明の変形例のステージ構造を示す説明図である。
【図１９】従来のパチンコ遊技機を示す説明図である。
【符号の説明】
【０１０２】
１  パチンコ遊技機
３  遊技領域
５  図柄変動表示装置
６  ステージ構造
１４  風車
６０  転動面
８０  ソレノイド
９０  モータ
７００  スライド機構
【図１】
2010179057.tif 000003
【図２】
2010179057.tif 000004
【図３】
2010179057.tif 000005
【図４】
2010179057.tif 000006
【図５】
2010179057.tif 000007
【図６】
2010179057.tif 000008
【図７】
2010179057.tif 000009
【図８】
2010179057.tif 000010
【図９】
2010179057.tif 000011
【図１０】
2010179057.tif 000012
【図１１】
2010179057.tif 000013
【図１２】
2010179057.tif 000014
【図１３】
2010179057.tif 000015
【図１４】
2010179057.tif 000016
【図１５】
2010179057.tif 000017
【図１６】
2010179057.tif 000018
【図１７】
2010179057.tif 000019
【図１８】
2010179057.tif 000020
【図１９】
2010179057.tif 000021